(57)【要約】【課題】配布ユーザの出力データに対して、配布するユーザの設定と料金設定とを行なえるユーザ端末装置、出力システム、プログラム及び出力方法を提供する。【解決手段】配布ユーザから受付けた出力データから出力ジョブを生成する際、配布ユーザと関連付けられた特定のユーザ又はユーザグループのうち、配布ユーザが選択した特定のユーザ又はユーザグループの出力ジョブとして設定登録を行なう設定登録部を有しており、設定登録部は、料金設定権限情報に基づいて、配布ユーザから出力データに対する料金設定を受付け可能とする。【選択図】図１
2015130046.tif 000002
【特許請求の範囲】
【請求項１】
一台以上の出力装置及び情報処理装置と通信を行なうユーザ端末装置であって、
配布ユーザから受付けた出力データから出力ジョブを生成する際、
前記配布ユーザと関連付けられた特定のユーザ又はユーザグループのうち、前記配布ユーザが選択した特定のユーザ又はユーザグループの出力ジョブとして設定登録を行なう設定登録部を有しており、
前記設定登録部は、料金設定権限情報に基づいて、前記配布ユーザから前記出力データに対する料金設定を受付け可能とすることを特徴とするユーザ端末装置。
【請求項２】
前記料金設定権限情報は、料金設定権限が付与された配布ユーザに前記出力データの料金設定を許可する情報を有していることを特徴とする請求項１に記載の配布ユーザ端末装置。
【請求項３】
前記設定登録部は、
前記料金設定を受付ける際、料金情報を取得していることを特徴とする請求項１又は２記載のユーザ端末装置。
【請求項４】
前記設定登録部は、
前記情報処理装置が有するユーザ情報を取得し、前記配布ユーザが前記ユーザ情報に基づいて選択した前記特定のユーザ又はユーザグループの設定情報を登録することを特徴とする請求項１に記載の配布ユーザ端末装置。
【請求項５】
前記設定登録部は、
前記配布ユーザから前記出力データに対する印刷上限枚数、印刷種別、印刷許容部数の各設定情報を受付けて、前記各設定情報を登録することを特徴とする請求項１に記載のユーザ端末装置。
【請求項６】
前記設定登録部は、
前記特定のユーザ又はユーザグループが前記出力ジョブを出力した後、前記出力ジョブを削除する設定情報を配布ユーザから受付けて、前記設定情報を登録することを特徴とする請求項１に記載のユーザ端末装置。
【請求項７】
前記出力ジョブを設定登録させるＧＵＩ画面を表示する表示制御手段を有することを特徴とする請求項１〜６の何れか一項に記載したユーザ端末装置。
【請求項８】
一台以上のユーザ端末装置、出力装置、及び情報処理装置とがネットワークを介して接続される出力システムであって、
配布ユーザから受付けた出力データから出力ジョブを生成する際、
前記配布ユーザと関連付けられた特定のユーザ又はユーザグループのうち、前記配布ユーザが選択した特定のユーザ又はユーザグループの出力ジョブとして設定登録を行なう設定登録部を有しており、
前記設定登録部は、料金設定権限情報に基づいて、前記配布ユーザから前記出力データに対する料金設定を受付け可能とすることを特徴とする出力システム。
【請求項９】
前記情報処理装置は、
前記特定のユーザ又はユーザグループが前記出力ジョブを出力した際、前記ユーザ端末装置へ前記出力を通知する出力通知部を有していることを特徴とする請求項８に記載の出力システム。
【請求項１０】
前記情報処理装置は、
前記出力ジョブを出力した出力履歴情報をユーザ情報と関連付けて記録する記録手段を備え、
前記ユーザ端末装置からの抽出要求に応じて、前記出力ジョブを出力したユーザの一覧を前記出力履歴情報から抽出する抽出部を有することを特徴とする請求項８又は９に記載の出力システム。
【請求項１１】
一台以上の出力装置及び情報処理装置と通信可能なユーザ端末装置を、
配布ユーザから受付けた出力データから出力ジョブを生成する際に、前記配布ユーザと関連付けられた特定のユーザ又はユーザグループのうち、前記配布ユーザが選択した特定のユーザ又はユーザグループの出力ジョブとして設定登録を行なう設定登録手段、
料金設定権限情報に基づいて、前記配布ユーザから前記出力データに対する料金設定を受付ける手段として機能させるためのプログラム。
【請求項１２】
一台以上のユーザ端末装置、出力装置、及び情報処理装置とがネットワークを介して接続される出力システムにおいて実行される出力方法であって、
配布ユーザから受付けた出力データから出力ジョブを生成する際、
前記配布ユーザと関連付けられた特定のユーザ又はユーザグループのうち、前記配布ユーザが選択した特定のユーザ又はユーザグループの出力ジョブとして設定登録を行なう設定登録ステップを有しており、
前記設定登録ステップは、料金設定権限情報に基づいて、前記配布ユーザから前記出力データに対する料金設定を受付け可能とすることを特徴とする出力方法。
【発明の詳細な説明】
【技術分野】
【０００１】
本発明は、ユーザ端末装置、出力システム、プログラム及び出力方法に関する。
【背景技術】
【０００２】
従来、クライアント端末装置から受信した印刷ジョブを直ちに印刷せずに、プリントサーバなどにスプール（蓄積）しておき、ユーザが画像形成装置にログインした後、ユーザがスプールされている印刷ジョブの一覧から該当する印刷ジョブを選択して印刷する印刷方法が知られている。ユーザはクライアント端末装置からプリントサーバに印刷ジョブを登録し、次いで画像形成装置に移動してサーバから印刷ジョブを受信して印刷させる。このような印刷はオンデマンド印刷やプルプリントと呼ばれる。
【０００３】
また、大学や企業では膨大な量の紙出力を管理するため、印刷データの出力を有料化する出力課金装置を導入した総合プリント管理システムが利用されている（例えば、特許文献１）。
【発明の概要】
【発明が解決しようとする課題】
【０００４】
しかしながら、総合プリント管理システムを採用したオンデマンド印刷において、ユーザが出力可能な印刷ジョブとは、ユーザが自身のクライアント端末からプリントサーバへスプール（蓄積）し登録した印刷ジョブのみである。
【０００５】
したがって、例えば大学などで先生（配布ユーザ）が生徒へ配布したい印刷データがある場合、印刷データをＵＳＢメモリやメールなどにより生徒へ渡し、生徒が自らのクライアント端末から印刷データをプリントサーバへ印刷ジョブとして蓄積登録させてから出力しなければならず、非常に面倒であった。
【０００６】
また、従来の総合プリント管理システムは、印刷ログに含まれる実際に出力された出力枚数に基づいて一般ユーザに課金要求がなされるため、先生などの配布ユーザが提供する印刷データに対して固有の料金設定を行えなかった。そのため、例えば大学などにおいて、教育目的で配布する印刷データに対して、無料でユーザ（生徒）に印刷させることができないなどの問題があった。
【０００７】
なお、このような問題はオンデマンド印刷等の印刷システムに限らず、ユーザが蓄積先に蓄積したジョブをプロジェクタやモニタなどの出力装置から出力する出力システムにおいても同様に存在する。
【０００８】
本発明の一つの実施形態の目的は、上記課題を鑑みて、配布ユーザの出力データに対して、配布するユーザの設定と料金設定とを行なえるユーザ端末装置を提供することにある。
【課題を解決するための手段】
【０００９】
上記目的を達成するため、本願請求項１は、
一台以上の出力装置及び情報処理装置と通信を行なうユーザ端末装置であって、
配布ユーザから受付けた出力データから出力ジョブを生成する際、
前記配布ユーザと関連付けられた特定のユーザ又はユーザグループのうち、前記配布ユーザが選択した特定のユーザ又はユーザグループの出力ジョブとして設定登録を行なう設定登録部を有しており、
前記設定登録部は、料金設定権限情報に基づいて、前記配布ユーザから前記出力データに対する料金設定を受付け可能とする。
【発明の効果】
【００１０】
本発明の一つの実施の形態によれば、配布ユーザの出力データに対して、配布するユーザの設定と料金設定とを行なえるユーザ端末装置を提供できる。
【図面の簡単な説明】
【００１１】
【図１】第１の実施形態に係る印刷システムの一例を示すシステム構成図である。
【図２】料金設定テーブルの一例を示す図である。
【図３】ユーザ情報テーブルの一例を示す図である。
【図４】ジョブ情報テーブルの一例を示す図である。
【図５】配布ユーザ端末装置の処理ブロックの一例を示す図である。
【図６】プリントサーバ装置の処理ブロックの一例を示す図である。
【図７】印刷課金装置の処理ブロックの一例を示す図である。
【図８】配布ユーザ端末装置における設定登録処理の一例を示すフローチャートである。
【図９】設定画面の一例を示すイメージ図である。
【図１０】第１の実施形態に係る印刷システムの出力処理の一例を示すフローチャートである。
【図１１】第２の実施形態に係る印刷システムを構成する画像形成装置の処理ブロックの一例を示す図である。
【図１２】第３の実施形態に係る印刷システムの一例を示すシステム構成図である。
【発明を実施するための形態】
【００１２】
次に、本発明に係るユーザ端末装置、出力システム、プログラム及び出力方法の実施形態を説明する。なお、本実施形態では出力システムの一例としての印刷システムを例として説明する。したがって、以下、出力とは印刷を意味し、出力データを印刷データ、出力ジョブを印刷ジョブとして記載する。また、配布ユーザが提供する印刷データを配布用印刷データと記載し、一般ユーザの印刷データは単に印刷データと記載する。とはいえ本発明は印刷システムに限定するものではない。出力システムは投影システムや表示システムの他、蓄積先に蓄積してある出力データを出力するシステムであれば良い。
【００１３】
［第１の実施形態］
＜システム構成＞
図１は、本発明の第１の実施形態に係る印刷システムの構成例を示す図である。
印刷システム１は、ＬＡＮなどのネットワークＮ１、ユーザが使用するクライアント端末装置２、配布ユーザが使用する配布ユーザ端末装置３（ユーザ端末装置の一例）、プリントサーバ装置４と認証サーバ装置５、出力装置６（以下、画像形成装置という）、印刷課金装置７を有している。図１では配布ユーザ端末装置３、プリントサーバ装置４、認証サーバ装置５、画像形成装置６、印刷課金装置７が１台である例を示しているが、複数台あってもよい。
【００１４】
クライアント端末装置２は、一般ユーザが利用する情報処理装置の一例である。一般ユーザとは、例えば大学などでは先生と関連付けられた生徒などである（以下、単にユーザと言うこともある）。クライアント端末装置２はスマートフォンや携帯電話、ＰＣなどの端末装置である。クライアント端末装置２は、インストールされているアプリケーションソフトウェア等を利用して、プリントサーバ装置４へ印刷ジョブを送信して印刷要求を行なう機能を有する。
【００１５】
配布ユーザ端末装置３は、配布ユーザが利用する情報処理装置である。配布ユーザとは例えば、大学などでは複数の生徒（一般ユーザ）を受け持つ先生（教授）などであり、配布用印刷データを生徒など他のユーザに配布するユーザである。
配布ユーザ端末装置３は、基本的にはクライアント端末装置２と同じくＰＣなどの端末装置であり、インストールされているアプリケーションソフトウェア等を利用して、プリントサーバ装置４へ、印刷ジョブを送信して印刷要求を行なう機能を有する。また、他のユーザに印刷させたい配布用印刷データを、配布ユーザと関連付けられたユーザ又はユーザグループの印刷ジョブとしてプリントサーバ装置４へ設定登録する機能を有する。
更にその際、他の情報処理装置（プリントサーバ装置４、認証サーバ装置５）から印刷に必要なデータを取得する機能も有している。
【００１６】
プリントサーバ装置４は、一台以上の情報処理装置によって実現されるものである。また、クライアント端末装置２と配布ユーザ端末装置３から送信される、印刷データとジョブ情報とを有する印刷ジョブを蓄積する記憶部４０を有している。また、ユーザからの印刷要求に応じて印刷ジョブを画像形成装置６（又は印刷課金装置７）へ出力する機能を有している。更に、画像形成装置６に使用される用紙の印刷枚数を管理する機能を有しており、ネットワークＮ１を介してクライアント端末装置２、配布ユーザ端末装置３、画像形成装置６、印刷課金装置７と接続されている。
【００１７】
記憶部４０は、クライアント端末装置２又は配布ユーザ端末装置３から送信される印刷ジョブを、各ユーザと関連付けた印刷ジョブとして蓄積する印刷ジョブ記憶部４１と、印刷ログ（印刷履歴）を蓄積する印刷ログ記憶部４２を有する。
【００１８】
印刷ジョブ記憶部４１は、クライアント端末装置２を操作するユーザと、配布ユーザ端末装置３を操作する配布ユーザが登録した、それぞれの印刷ジョブ情報を記録している。印刷ジョブ情報とは、各ユーザの提供した印刷データ（配布用印刷データも含む）と、ユーザ名や記述方法、料金設定などのジョブ情報とを関連付けたデータを指している。また、本実施形態の場合、配布ユーザが配布用印刷データに対して設定した設定情報も含まれている。プリントサーバ装置４は、画像形成装置６等からの要求に基づき、印刷ジョブを構成する印刷データやジョブ情報を画像形成装置６又は印刷課金装置７等に送信する。
【００１９】
配布ユーザが登録する印刷ジョブは、配布ユーザが指定したユーザ又はユーザグループの印刷ジョブとして登録される。したがって、配布ユーザが指定したユーザ（ユーザグループに属するユーザも含む）は、後述する画像形成装置６又は印刷課金装置７において、自身の印刷ジョブの一覧が表示される際、自分で登録した印刷ジョブと、配布ユーザが登録した印刷ジョブとが表示される。
【００２０】
印刷ログ記憶部４２は、画像形成装置６が実際に印刷した印刷枚数、用紙サイズ、印刷種別のいずれか１又は複数を少なくとも含む印刷情報を印刷ログとして蓄積している。そして、印刷ログは、印刷データを印刷したユーザ情報と関連付けて蓄積されている。したがって、特定の印刷データ（配布用印刷データ）を印刷したユーザを抽出することが可能となる。
【００２１】
因みに、プリントサーバ装置４は、複数のプリンタをプリンタグループとして管理した場合にそれぞれのプリンタグループに属するプリンタ毎の印刷ログに記録された印刷枚数をプリンタグループ単位で集計する印刷ログ集計機能を有している。また、該印刷ログ集計機能により集計された全てのプリンタグループの印刷ログを集計する全印刷ログ集計機能も有している。
【００２２】
本実施形態では、これら２つの機能をまとめて１つのプリントサーバ装置４により実現する構成をとっている。ここで印刷ログに記録される情報は、少なくともユーザ名、クライアント端末装置名、印刷日時を含み、さらに実際に印刷された印刷枚数、用紙サイズ、白黒／カラーの印刷種別のいずれか１又は複数からなる印刷情報が含まれている。この印刷ログは、画像形成装置６にて印刷が実行された後に、画像形成装置６が有するハードディスク等の記憶装置に記憶され、プリントサーバ装置４からの印刷ログの転送要求に応じて、該プリントサーバ装置４に対し印刷ログを提供することができる。
【００２３】
認証サーバ装置５は、一台以上の情報処理装置によって実現される。認証サーバ装置５はユーザ情報を保有し、各ユーザを認証するための階層構造により画像形成装置６又は印刷課金装置７等からの要求に基づき認証を行う機能を有する。
【００２４】
画像形成装置６は、有線や無線通信でネットワークＮ１に接続されるプリンタ、コピー機、複合機、レーザプリンタなどの出力装置である。画像形成装置６は、プロジェクタやモニタなどの表示出力を実行する投影装置や表示装置、オーディオなどの音声データを出力する音声出力装置であってもよい。
【００２５】
印刷課金装置７は、情報処理装置の一例であり、画像形成装置６と通信可能に接続されており、画像形成装置６からの印刷要求に応じて、ユーザの課金を認識し、課金を認識すると画像形成装置６に印刷を開始させる機能を有する。因みに、画像形成装置６がレーザプリンタなどの場合、画像形成装置６からの印刷要求に応じて、プリントサーバ装置４から印刷データ（配布用印刷データも含む。）を取得し、課金がなされると印刷データを画像形成装置６へ送信し出力させる機能を有しても良い。印刷課金装置７には、後述するがユーザを識別する読み取り部や料金表示部などが備えることができる。
【００２６】
また、本発明における各実施形態の説明に際し、プリントサーバ装置４、認証サーバ装置５を１つの装置として示しているが、様々な種類のネットワークを介してその機能を分散させてもよい。また、各クライアント端末装置２、配布ユーザ端末装置３は、ディスクトップ型パーソナルコンピュータとして図示しているが、ネットワーク接続可能な携帯電話やモバイルコンピュータであってもよく、使用形態に応じた形態であればよい。
【００２７】
また、図１に示すネットワークＮ１としては、有線、無線に限らず専用回線、電話回線等で接続されたインターネットや、インターネット技術を利用したイントラネットの形態でも良い。更には、専用回線を使用する場合でもＷＡＮ（Ｗｉｄｅ Ａｒｅａ Ｎｅｔｗｏｒｋ）やＭＡＮ（Ｍｅｔｒｏｐｏｌｉｔａｎ Ａｒｅａ Ｎｅｔｗｏｒｋ）に限らず、プリントサーバ装置４の設置場所によっては、ＬＡＮ（Ｌｏｃａｌ Ａｒｅａ Ｎｅｔｗｏｒｋ）で構成される形態もとりうる。また、このネットワークＮ１には、専用回線の使用、伝送データの暗号化、各クライアント端末装置を使用するユーザの認証等、様々な方法によるセキュリティの強化が必要となる。
【００２８】
＜テーブル情報＞
次に、認証サーバ装置５が有するテーブル情報を説明する。
【００２９】
（料金設定テーブル５０１）
認証サーバ装置５は、図２に示す料金設定テーブル５０１を有している。料金設定テーブル５０１は、用紙サイズ、色に応じて設定された料金表である。配布ユーザは、料金設定テーブル５０１の料金情報に基づいた（反映させた）料金設定に設定できる。
【００３０】
（ユーザ情報テーブル５０２）
また、認証サーバ装置５は、ユーザ情報として、図３に示すユーザ情報テーブル５０２を有している。ユーザ情報テーブル５０２は、ユーザ名、パスワード、所属グループ、上限値（印刷可能枚数）、現在値（累積値）、印刷許可グループ、料金変更権限などの情報を有している。ユーザ情報は、例えばＡＤ（Ａｃｔｉｖｅ  Ｄｉｒｅｃｔｏｒｙ）／ＬＤＡＰ（Ｌｉｇｈｔｗｅｉｇｈｔ  Ｄｉｒｅｃｔｏｒｙ  Ａｃｃｅｓｓ  Ｐｌｏｔｏｃｏｌ）サーバと連携して管理されるため、所属グループはＡＤ／ＬＤＡＰのグループとなる。また、料金変更権限は、特定の配布ユーザに対して設定されており、この料金変更権限を有する配布ユーザのみが、料金変更の設定を行うことができる。因みに、図示したユーザ名「ＵｓｅｒＡ」は、印刷許可グループが「Ｇｒｏｕｐ１、Ｇｒｏｕｐ２」に指定され、印刷変更権限が「○」有効に設定されている配布ユーザである。つまりこの配布ユーザは、「Ｇｒｏｕｐ１、Ｇｒｏｕｐ２」に対して自身の提供する配布用印刷データの印刷を許可していることを意味する。ユーザ名「ＵｓｅｒＢ」、「ＵｓｅｒＣ」は、所属グループが共に「Ｇｒｏｕｐ１」の一般ユーザであり、「ＵｓｅｒＡ」が提供する配布用印刷データを印刷できる。
【００３１】
次に、プリントサーバ装置４が記憶部４０に印刷ジョブとして記憶するジョブ情報テーブル４０１を説明する。
【００３２】
（ジョブ情報テーブル４０１）
図４に、配布ユーザが設定登録した印刷ジョブのジョブ情報テーブル４０１の一例を示した。印刷ジョブＩＤごとに、用紙サイズ、印刷予定枚数、印刷種別、料金、ユーザ名、印刷許可グループに関する情報が記憶されている。印刷ジョブＩＤは印刷ジョブを識別するための識別情報である。印刷ジョブＩＤは、印刷ジョブ記憶部４１に記録される印刷データ又は配布用印刷データと関連付けられており、印刷ジョブＩＤをキーに印刷データ又は配布用印刷データを引き出せる構成とされている。図示例では配布用印刷データの印刷ジョブＩＤを示している。ユーザ名は印刷ジョブを登録したユーザの名前である。
【００３３】
図示例の印刷ジョブＩＤ「Ａ０１２３」の場合、配布ユーザは「Ｇｒｏｕｐ１」に対して印刷を許可しており、料金設定は、「０」に設定されている。これは、例えば授業目的に使用される配布用印刷データであることが好ましい。
【００３４】
印刷ジョブＩＤ「Ａ０１２４」の場合、配布ユーザは固有の一般ユーザに対して印刷を許可している。つまり、配布ユーザと関連付けされた固有の一般ユーザに対して配布用印刷データが提供される設定である。料金設定は、料金設定テーブル５０１から算出された「１００」円が記載されている。これは、授業以外の目的で提供する印刷データの場合に特に実施される。
【００３５】
＜ハードウェア構成＞
図１のクライアント端末装置２、配布ユーザ端末装置３、プリントサーバ装置４、認証サーバ装置５は以下のようなハードウェア構成のコンピュータシステムにより実現される。
【００３６】
これらハードウェア構成は、一般的なパソコンやワークステーションなどと同様の構成であり、図示することは省略したが、入力装置、表示装置、外部Ｉ／Ｆ、ＲＡＭ（Random  Access  Memory）、ＲＯＭ（Read  Only  Memory）、ＣＰＵ（Central  Processing  Unit）、及びＨＤＤ（Hard  Disk  Drive）などを備え、それぞれがバスで相互に接続されている。
【００３７】
ＣＰＵは、各種プログラムの実行や演算処理を行う。ＲＯＭは、起動時に必要なプログラムなどが記憶されている。ＲＡＭは、ＣＰＵでの処理を一時的に記憶したり、データを記憶したりする。入力装置は、キーボードやマウスである。出力装置は、ディスプレイである。通信装置は、ネットワークＮ１を介し他装置との通信を行う。ＨＤＤは、各種データ及びプログラムを格納する。なお、入力装置及び表示装置は必要なときに接続して利用する形態であってもよい。
【００３８】
＜ソフトウェア構成＞
（配布ユーザ端末装置３）
図５は、本実施形態に係る配布ユーザ端末装置３の各処理ブロックを説明するための図である。
配布ユーザ端末装置３は、プリントサーバ装置４から管理者権限を付与され、配布用印刷データを他のユーザの出力ジョブとして設定することを許可された端末である。因みに、プリントサーバ装置４、認証サーバ装置５は、ＩＰアドレスにより、許可した配布ユーザ端末装置３であるかを判断する。管理者権限とは、料金設定を許可する権限と、配布用印刷データを他のユーザの印刷ジョブへ登録することを許可する権限を指すが、この限りではない。また、配布ユーザ端末装置３は、配布用印刷データに対して各種設定を行なって印刷ジョブの設定登録を行なわせる、又は当該印刷ジョブを削除させるためのＧＵＩ（グラフィカルユーザインタフェイス）を表示させる表示制御手段を有している。
【００３９】
配布ユーザ端末装置３は、プリントサーバ装置４と認証サーバ装置５との情報のやり取りを行なうポートモニタ部３０を有しており、ポートモニタ部３０は、印刷データ受信部３１、印刷データ解析部３２、設定登録部としてのジョブ設定登録部３３、サーバ送受信部３４を有している。
【００４０】
印刷データ受信部３１は、例えばプリントスプーラサービスから配布用印刷データ（配布しない自身の印刷データを含むが、ここで特に記載することは省略する。）を受信する機能を有する。これは、配布ユーザが配布ユーザ端末装置３（ＰＣ）を操作して印刷指示を送信した際に行われる処理である。
【００４１】
印刷データ解析部３２は、送信された配布用印刷データを解析する。解析とは配布用印刷データの用紙枚数、用紙サイズ、カラー情報などを検出する処理を指す。
【００４２】
ジョブ設定登録部３３は、解析された配布用印刷データを配布ユーザと関連付けられたユーザ又はユーザグループの印刷ジョブとして設定登録する機能を有する。また、その際、認証サーバ装置５から、配布ユーザと関連付けられたユーザのユーザ情報と料金情報とを取得する機能と、配布ユーザにＧＵＩ画面上で各種設定登録を行なわせる機能も有している。
具体的には後述するが、認証サーバ装置５から取得した各情報を参照してユーザ選択と料金設定を行なわせるＧＵＩ画面が表示される。料金設定の際、配布したい配布用印刷データが教育目的である場合は、例えば料金設定「０」と設定して、効果的な授業を行うことができる。
【００４３】
更に、ジョブ設定登録部３３は、配布用印刷データに対する印刷上限枚数、印刷種別（白黒又はカラー）印刷許容部数などの各設定情報を配布ユーザから受付けて、登録する機能を有している。その他、ジョブ設定登録部３３は、設定登録した印刷ジョブを設定したユーザ（又はユーザグループ）が印刷を完了すると、前記印刷ジョブを自動的に削除するかの設定を配布ユーザから受付けて、登録する機能も有している。この削除設定は、例えば削除設定画面を表示させて設定することができる。上記設定登録した各設定情報は、配布用印刷データと共に印刷ジョブとしてプリントサーバ装置４の印刷ジョブ記憶部４１へ記憶される。
【００４４】
サーバ送受信部３４は、プリントサーバ装置４と認証サーバ装置５とのデータのやり取りを行なう機能を有する。
【００４５】
本実施形態に係る配布ユーザ端末装置３は、配布ユーザの配布用印刷データを、配布ユーザと関連付けられたユーザの印刷ジョブへ登録するジョブ設定登録部３３を備えている。したがって、配布ユーザは配布したい一般ユーザに配布用印刷データを渡す必要が無くなり、一般ユーザも配布ユーザから配布用印刷データをもらう必要が無くなり、効率的なデータ授受を行うことができる。特に大学などの先生が授業目的で生徒に配布用印刷データを提供したい場合には、非常に効率的であり授業の速やかな進捗に寄与する。また、配布ユーザ端末装置３は、料金設定を含む印刷に関する詳細な設定も行える構成としたので、先生が配布したい配布用印刷データに対して、料金設定を例えば無料に変更したり、よりフレキシブルで状況にあった出力管理を行うことができる。
【００４６】
（プリントサーバ装置４）
図６は、プリントサーバ装置４の各処理ブロックを説明するための図である。
プリントサーバ装置４は、印刷ジョブ受付部４ａ、印刷ジョブ蓄積部４ｂ、印刷ログ蓄積部４ｃ、出力通知部４ｄ、出力ユーザ抽出部４ｅとを有している。
印刷ジョブ受付部４ａは、一般ユーザが使用するクライアント端末装置２からの印刷ジョブを受付ける。また、配布ユーザが使用する配布ユーザ端末装置３のジョブ設定登録部３３により設定登録された印刷ジョブを受付ける機能を有している。
【００４７】
印刷ジョブ蓄積部４ｂは、クライアント端末装置２と配布ユーザ端末装置３から受付けた印刷ジョブを印刷ジョブ記憶部４１に蓄積させる機能を有する。印刷データ又は配布用印刷データは、印刷ジョブ記憶部４１の各ユーザに割り当てられた記憶領域に記憶されている。
【００４８】
印刷ログ蓄積部４ｃは、画像形成装置６が実際に印刷した印刷枚数、用紙サイズ、印刷種別のいずれか１又は複数を少なくとも含む印刷情報を印刷ログとして印刷ログ記憶部４２へ蓄積する機能を有している。
【００４９】
出力通知部４ｄは、配布ユーザが配布用印刷データを提供した一般ユーザ（又はユーザグループ）が画像形成装置６により配布用印刷データの印刷を完了すると、配布ユーザ端末装置３へ印刷が行なわれたこと（印刷完了）を通知する機能を有している。したがって、出力通知部４ｄは、画像形成装置６から印刷完了情報を受信する機能も有している。通知方法はメールなどがあるが、この限りではない。
【００５０】
出力ユーザ抽出部４ｅは、配布ユーザ端末装置３からの抽出要求に応じて、印刷ログ記憶部４２に蓄積された印刷ログ情報から、配布ユーザ端末装置３が提供した配布用印刷データを印刷したユーザ（又はユーザグループ）の一覧を抽出する。そして、抽出したデータを配布ユーザ端末装置３へ送信する機能を有している。
【００５１】
（印刷課金装置７）
図７は、本発明における印刷課金装置７の各処理ブロックを説明するための図である。
印刷課金装置７は、ユーザ情報読取部７ａ、印刷ジョブ提示部７ｂ、印刷指示部７ｃ、課金部７ｄとを有している。
この印刷課金装置７の実施形態としては、例えば、タッチパネルやマウス、キーボードなど各種の入力手段を備えるようにして、課金用操作端末としての形態をとることができる。
【００５２】
ユーザ情報読取部７ａは、例えばユーザを特定するユーザ情報が書き込まれたＩＣカードを読み取るカードリーダである。ユーザ情報読取部７ａは読み取ったユーザ情報を認証サーバ装置５へ送信し、認証レスポンスを受取る。
【００５３】
印刷ジョブ提示部７ｂは、認証されたユーザが出力可能な全ての印刷ジョブを印刷ジョブ記憶部４１から読み込み（取得し）、読み込んだ印刷ジョブをタッチパネルなどの画面上にジョブ情報として一覧表示する機能を有する。このとき、一般ユーザが登録したジョブ情報と、配布ユーザが提供したジョブ情報とが一覧表示されている。この一覧には、印刷ジョブ記憶部４１に記録されている料金情報もあわせて表示されている。
【００５４】
印刷指示部７ｃは、一般ユーザが画面上に表示した印刷ジョブの中から選択した印刷ジョブ（ジョブ情報）の印刷指示をプリントサーバ装置４及び画像形成装置６へ送信する。料金が設定されている場合には、課金部７ｄからの課金完了指示を待って印刷指示を送信する。
【００５５】
課金部７ｄは、硬貨や紙幣などにより自動課金するコインラックシステムを用いたものや、プリペイドカードや、ＩＣカードなどの読み取り装置を備えて課金するものである。課金部７ｄは、ユーザの課金を認識すると、課金終了をプリントサーバ装置４及び画像処理装置６へ送信し、印刷を実行させる。料金設定が「０」の場合は、料金が表示されない、又は無料と表示され画像形成装置６に印刷を実行させる。
【００５６】
＜処理の詳細＞
以下、印刷システム１の処理の詳細について説明する。
【００５７】
《配布ユーザ端末装置３における配布用印刷データの設定登録処理》
先ず、本実施形態に係る配布ユーザ端末装置３の配布用印刷データの設定登録処理について説明する。図８は配布ユーザ端末装置３における配布用印刷データの設定登録処理の一例を示すフローチャートである。例えば先生を配布ユーザとする場合、先生は配布ユーザ端末装置３を操作して、担当しているユーザ又はユーザグループ（生徒）に対して、授業目的で印刷させたいテストなどの配布用印刷データを、料金設定を無料に設定して、各自で印刷させる設定ができる。以下、上記のケースを例に取り説明する。
【００５８】
Ｓ１において、配布ユーザは配布ユーザ端末装置３を操作して、配布ユーザが作成した配布用印刷データの印刷を指示する。すると、ポートモニタ部３０の印刷データ受信部３１が、例えばプリントスプーラサービスなどから配布用印刷データを受信し、印刷データ解析部３２へ出力する（Ｓ２）。
【００５９】
印刷データ解析部３２は、配布用印刷データのユーザ情報、印刷枚数、用紙サイズ、印刷種別（白黒又はカラー）などの印刷データに関する情報をプリントスプーラから解析し決定する（Ｓ３）。
【００６０】
ジョブ設定登録部３３は、サーバ送受信部３４を介して認証サーバ装置５が有しているユーザ情報テーブル５０２（図３参照）のユーザ情報と、料金設定テーブル５０１（図２参照）の料金情報とを取得する。（Ｓ４）。
【００６１】
ジョブ設定登録部３３は、取得したユーザ情報から配布するユーザ（ユーザグループも含む）の設定と、料金設定とを行なわせる設定画面をＧＵＩ表示させる（Ｓ５）。図９に、設定画面９０１の一例を示すイメージ図を示した。
【００６２】
ジョブ設定登録部３３は、配布ユーザに、上記した設定画面９０１上で、配布用印刷データを提供する「ユーザ」及び「ユーザグループ」の設定と、料金設定を行なわせ、設定された各情報を設定情報（設定ファイル）として登録する（Ｓ６）。
【００６３】
設定画面９０１は、図９に示すように、印刷可能なユーザグループ設定領域９０２、料金設定領域９０３、選択決定ボタン９０４を有している。
【００６４】
印刷可能なユーザグループ設定領域９０２には、プルダウンメニュ部９０２ａを有しており、プルダウンメニュ部９０２ａにより取得したユーザグループ情報（ユーザ情報）が表示され、表示された中から提供したいユーザ又はユーザグループを選択できる。
【００６５】
料金設定領域９０３は、３つの選択ボタンを有しており、サーバ設定に従うサーバ設定ボタン９０３ａと、手動で設定する手動設定ボタン９０３ｂと、無料にする無料設定ボタン９０３ｃを有している。配布ユーザは、上記各設定ボタンを選択することで料金設定を容易に行うことができる。
【００６６】
サーバ設定ボタン９０３ａが選択されると、Ｓ４で取得した料金設定テーブル５０１の料金設定が反映される。手動設定ボタン９０３ｂが選択されると、料金入力欄９０３ｄ内に所望の料金を入力することが可能となり、入力された料金が設定値として反映される。無料設定ボタン９０３ｃが選択されると、設定されたユーザ又はユーザグループに対して無料で印刷させる設定となる。この設定は、配布用印刷データを授業目的に使用させる場合に有効である。
【００６７】
配布ユーザは上記選択操作の後、選択決定ボタン９０４の入力により上記印刷可能なユーザの設定（又はユーザグループ）と料金設定とを完了させる。変更された料金情報は、料金設定テーブル５０１の該当箇所に上書されても良い。
【００６８】
因みに、ユーザ情報には料金変更権限情報が付与されているので（図３参照）、料金設定の変更は料金変更権限が付与されている配布ユーザのみ行うことができる。よって、料金変更権限が付与されていない配布ユーザには料金設定領域９０３を選択できない設定とされていても良い。また、図示することは省略したが料金設定のほかに、印刷上限枚数、印刷種別、印刷許容部数を設定することができる。その場合、設定画面上に専用の各設定領域が設けられており、入力又はプルダウンメニュ部からの選択などにより設定できる。更に、設定したユーザ（又はユーザグループ）が前記した印刷ジョブの印刷を完了すると、前記印刷ジョブを削除するかの設定を行うことができる。その場合、例えば削除設定画面を表示させることで設定を受付ける。
【００６９】
ジョブ設定登録部３３は、配布用印刷データと、当該配布用印刷データに対するジョブ情報（解析情報）、設定情報（設定ファイル）とを印刷ジョブとして、サーバ送受信部３４を介してプリントサーバ装置４へ送信する（Ｓ７）。
【００７０】
プリントサーバ装置４の印刷ジョブ受付部４ａは、配布ユーザ端末装置３から配布用印刷データ、ジョブ情報、設定情報を印刷ジョブとして受付ける。そして、印刷ジョブ蓄積部４ｂは、受付けた印刷ジョブを印刷ジョブ記憶部４１へ記録して登録を完了させる（Ｓ８）。プリントサーバ装置４は、登録を完了すると登録完了通知をレスポンスとしてサーバ送受信部３４へ送信する（Ｓ９）。
【００７１】
因みに、ユーザ（生徒）がクライアント端末装置２を操作して、ユーザ自身が作成した印刷データの印刷を指示すると、ポートモニタ部３０は上記したＳ１〜Ｓ３を印刷データ受信部３１、印刷データ解析部３２により実行させる。そして、印刷データと解析されたジョブ情報が印刷ジョブとしてサーバ送受信部３４を介してプリントサーバ装置４へ送信され、自身の印刷ジョブとして登録される。これは従来から通常的に行なわれている処理であるため、特に図示して説明することは省略した。
【００７２】
本実施形態に係る配布ユーザ端末装置３は、配布ユーザの配布用印刷データを、配布ユーザと関連付けられたユーザ又はユーザグループの印刷ジョブへ登録する構成とされている。したがって、配布ユーザは提供したい一般ユーザに配布用印刷データを渡す必要が無くなり、提供される一般ユーザも配布ユーザから配布用印刷データをもらう必要が無くなり、効率的なデータ授受を行うことができる。特に、大学などで先生が、教育目的で担当する生徒（ユーザ）全員へテスト用紙などの配布用印刷データを配布したい場合、配布したい生徒の印刷ジョブとして登録することで、生徒たち各自が自由に配布用印刷データを印刷してスムーズな授業に寄与する。
【００７３】
また、従来の総合プリント管理システムは、印刷ログに含まれる実際に出力された出力枚数に基づいて一般ユーザに課金要求がなされるため、先生などの配布ユーザが提供する印刷データに対して固有の課金設定を行えなかった。そのため大学などにおいて、教育目的で配布する配布用印刷データに対して、無料でユーザ（生徒）に印刷させることができない課題があった。
【００７４】
しかし、本実施形態の配布ユーザ端末装置３は、料金設定を変更する設定登録も行える構成としたので、先生が配布したい配布用印刷データに対して料金設定を例えば無料に変更でき、よりフレキシブルで状況に合わせた出力管理を行うことができる。
【００７５】
《印刷システムの印刷処理》
図１０は、本実施形態に係る印刷システム１の印刷処理の一例を示すフローチャートである。下記の印刷システム１は、例えば大学の先生が配布用印刷データを、担当する生徒の印刷ジョブとしてプリントサーバ装置４へ登録し、生徒が各自で画像形成装置６から配布用印刷データを印刷させる際に好適に実施できる。また、以下、画像形成装置６がＬＰ（レーザプリンタ）であり、認証機能、印刷ジョブの一覧表示、及びプリントサーバ装置４と認証サーバ装置５とのやり取りを印刷課金装置７が行う場合を例に取り説明する。
【００７６】
ユーザ（生徒）が、印刷課金装置７のユーザ情報読取部７ａによりユーザ名、パスワードを入力すると、認証サーバ装置５はユーザ情報テーブル５０２を参照して、ユーザ登録されているかを確認しユーザ認証を行なう（Ｓ２１）。具体的には、ユーザ情報読取部７ａは、カードリーダであり、ユーザがカードリーダにＩＣカードを翳すと、ＩＣカードに記憶されたカードＩＤを読み取り、認証サーバ装置５へ認証依頼が行なわれる。認証サーバ装置５は前記したカードＩＤをキー情報として、ユーザ情報テーブル５０２に記憶されているユーザ情報を検索し、認証要求に含まれていたカードＩＤがユーザ情報に存在するか否かを確認し、存在する場合にはユーザ認証を行う。
【００７７】
Ｓ２１において認証サーバ装置５は、ユーザ認証したことを印刷課金装置７へ送信する。
【００７８】
印刷課金装置７は、認証されたユーザの印刷ジョブの取得をプリントサーバ装置４へリクエスト（要求）する（Ｓ２２）
プリントサーバ装置４は、認証されたユーザ自身が登録した印刷ジョブと、当該ユーザが所属するグループが印刷権限を持つ印刷ジョブとを、印刷ジョブ記憶部４１から抽出し、その一覧を印刷課金装置７へ送信する（Ｓ２３）。要するに認証された一般ユーザが出力可能な印刷ジョブの全てが、ユーザ情報をキーとして全て抽出され送信される。
【００７９】
印刷課金装置７は、認証されたユーザの印刷ジョブの一覧を印刷ジョブ提示部７ｂによりディスプレイ上に表示させる（Ｓ２４）。この一覧には、料金情報もあわせて表示されている。配布ユーザが印刷ジョブの料金設定を「０」、無料としている場合、例えば「無料（ＦＲＥＥ）」と表示されている。
【００８０】
印刷課金装置７は、ユーザの操作により一覧表示された印刷ジョブの中から所望の印刷ジョブの選択を受付けると（Ｓ２５）、選択された印刷ジョブに対して課金が必要かどうかを確認する（Ｓ２６）。Ｓ２５、Ｓ２６において、印刷課金装置７は表示画面上に例えばユーザの残ポイント、印刷に必要なポイント、印刷実行ボタン、印刷キャンセルボタンを表示させていることが好ましい。ポイントとは一般ユーザが予め印刷枚数に対する対価を支払って取得した印刷可能枚数値である。したがって、残ポイントと印刷に必要なポイントから、課金が必要（足りない）かが算出できる。課金が必要な場合、印刷課金装置７は課金を促すメッセージをディスプレイ（タッチパネル）上に表示させる。
【００８１】
配布ユーザ（先生）が教育目的のために生徒（ユーザ）に無料で、配布用印刷データを印刷させる設定を行っている場合には、次のステップへ進む処理が行なわれる。
【００８２】
印刷課金装置７は、Ｓ２６でユーザの課金を確認した又は課金の必要が無い場合、プリントサーバ装置４へユーザが選択した印刷データの取得を要求し、プリントサーバ装置４から該当する印刷データを取得する（Ｓ２７）。
【００８３】
印刷課金装置７は、取得した印刷データを画像形成装置６へ送信し、画像形成装置６は送信された印刷データの印刷を実行する（Ｓ２８）。
【００８４】
印刷課金装置７は、画像形成装置６が印刷を完了すると、印刷を実行させたユーザのユーザ情報テーブル５０２の情報を更新する（Ｓ２９）。更新する情報としては、例えば印刷可能な「上限値」、累積枚数に関する「現在値」などである。勿論、プリントサーバ装置４が更新処理を行なっても良い。
【００８５】
プリントサーバ装置４は、画像形成装置６（又は印刷課金装置７）から配布用印刷データの印刷を完了した通知を受けると、出力通知部４ｄに印刷完了通知を配布ユーザ端末装置３へメールなどで通知させる（Ｓ３０）。このとき、例えば配布用印刷データを出力した印刷ジョブ名とユーザ名などの情報が通知される。
【００８６】
プリントサーバ装置４は、配布ユーザ端末装置３からの抽出要求に応じて、出力ユーザ抽出部４ｅに、印刷ログ記憶部４２に蓄積された印刷ログ情報から配布用印刷データを印刷した印刷ユーザの一覧を抽出させ、抽出したデータを配布ユーザ端末装置３へ送信する（Ｓ３１）。これにより、配布ユーザは、自身が提供した配布用印刷データの印刷状況を把握することができる。
【００８７】
因みに、上記各印刷処理ステップが終了した後、前記印刷ジョブを削除する処理が行われる。この削除処理は、印刷ジョブの設定登録時に、配布ユーザから印刷完了後に印刷ジョブを削除する設定を受けている場合である。これは、印刷ジョブの設定情報の中に、印刷終了後に印刷ジョブを削除する指示が付与されており、前記印刷ジョブを蓄積したプリントサーバ装置４が、上記印刷処理ステップを終了後に前記指示に従って印刷済みの印刷ジョブを削除することで実施できる。
【００８８】
また、削除の設定をしていない場合においても、配布ユーザ端末装置３が印刷完了通知を受けると、例えばジョブ設定登録部３３に「印刷ジョブを削除しますか」と尋ねるメッセージを表示させて削除させても良い。
【００８９】
本実施形態に係る印刷システム１は、配布ユーザ端末装置３が配布ユーザの配布用印刷データを、配布ユーザと関連付けられたユーザ（又はユーザグループ）の印刷ジョブへ登録することができる。したがって、配布ユーザは、自身が提供する配布用印刷データを、配布させたい一般ユーザに容易に印刷させることができる。また、配布ユーザ端末装置３は、料金設定を含む印刷に関する設定も行える構成としたので、先生が配布用印刷データに対して料金設定を無料に変更するなど、よりフレキシブルで状況に合わせた出力管理を行うことができる。
【００９０】
また、配布用印刷データを印刷したユーザの情報が配布ユーザ端末装置３へ通知されるので、配布ユーザ（先生）が一般ユーザ（生徒）の印刷状況を確認して効率的な授業を行うことができる。
【００９１】
［第２の実施形態］
＜システム構成＞
第１の実施形態に係る印刷システム１においては、認証サーバ装置５との認証のやり取りや、プリントサーバ装置４との印刷ジョブのやり取りを印刷課金装置７が行なう場合を説明した。しかし、画像形成装置６が複合機（ＭＦＰ）である場合には、前記した各やり取りを画像形成装置６０が行なう印刷システムで実施することができる。
【００９２】
図１１は第２の実施形態に係る印刷システムを構成する画像形成装置６０の一例を示す処理ブロック図である。
画像形成装置６０はプログラムを実行することにより、操作受付部６１、データ表示処理部６２、ユーザ情報読取部６３、ジョブ情報取得部６４、ジョブ選択受付部６５、印刷データ取得部６６、印刷処理部６７を実現している。
【００９３】
操作受付部６１はユーザからの操作を受け付ける。データ表示処理部６２はユーザに対する表示を行う。ユーザ情報読取部６３は、例えばカードリーダでありユーザのＩＣカードからユーザＩＤの読取りを行うと共に、ユーザＩＤ情報を認証サーバ装置５へ送信しユーザ認証を依頼する機能を有する。ジョブ情報取得部６４は、認証したユーザの印刷ジョブ一覧情報をプリントサーバ装置４から取得する。
【００９４】
ジョブ選択受付部６５は、印刷ジョブ情報一覧画面からユーザが所望する印刷ジョブの選択を受付ける。印刷データ取得部６６は、ユーザの課金状況を確認した上で、ユーザにより選択された印刷ジョブの印刷データをプリントサーバ装置４から取得する。印刷処理部６７は取得した印刷データを印刷設定にしたがって印刷する印刷処理を行なう。
【００９５】
つまり、課金に関する処理以外を画像形成装置６０により行なわせるシステム構成で実施できる。したがって、印刷課金装置７は、少なくとも図７に示す課金部７ｄを有していれば良い。また、クライアント端末装置２、配布ユーザ端末装置３の構成は第１の実施形態と同様であり、説明は省略する。
【００９６】
＜処理について＞
画像形成装置６０を有する印刷システムの設定登録処理と印刷処理については、図８、図１０に示したフローチャートと略同様であるため、あえて図示して説明することは省略する。要するに、図１０において印刷課金装置７が行なう課金以外の処理を画像形成装置６０が行なう点のみ相違する。
【００９７】
［第３の実施形態］
第３の実施形態に係る印刷システムは、クラウド環境を有するものである。
図１２に本実施形態に係る印刷システムのシステム構成図を示した。印刷システムは、大学や企業などのプライベート環境のネットワークＮ２と、クラウドサービスを提供するパブリック環境のネットワークＮ３とを有する。ネットワークＮ２とネットワークＮ３とはネットワークＮ２側のファイアウォールＦＷによって接続されている。ファイアウォールＦＷは、ネットワークＮ２とネットワークＮ３との接点に設置され、ネットワークＮ２からネットワークＮ３へのアクセスを中継する。
【００９８】
クラウドサービスを提供するネットワークＮ３にはＷｅｂアプリケーションやサーバ側のアプリケーションによって機能を提供する一つ以上の情報処理装置（コンピュータシステム）が含まれる。このような情報処理装置によって、ネットワークＮ３側にはプリントサーバ装置４、認証サーバ装置５、記憶部４０（ＤＢ）などが実現される。記憶部４０は、図示することは省略したが前述の印刷ジョブ記憶部４１と印刷ログ記憶部４２を有している。大学や企業などのプライベート環境のネットワークＮ２には、クライアント端末装置２、配布ユーザ端末装置３、画像形成装置６、印刷課金装置７が含まれる。
【００９９】
クライアント端末装置２、配布ユーザ端末装置３、画像形成装置６、印刷課金装置７の構成は第１又は第２の実施形態と同様である。また、印刷ジョブの設定登録処理や印刷処理については、クライアント端末装置２と配布ユーザ端末装置３は、ネットワークＮ３側のプリントサーバ装置４、認証サーバ装置５、記憶部４０（ＤＢ）によって認証処理、ジョブ設定登録処理が行なわれる。印刷処理も画像形成装置６、印刷課金装置７は、ネットワークＮ３側のプリントサーバ装置４、認証サーバ装置５、記憶部４０（ＤＢ）によって認証処理、印刷ジョブ（印刷データと配布用印刷データ）の取得を行い、印刷を行なう。具体的な認証処理、ジョブ設定登録処理、印刷処理は、第１、第２の実施形態で説明したとおりである。
【０１００】
［第４の実施形態］
上記文書中や図面中で示した処理手順、具体的名称、各種のデータやパラメタ等を含む情報は、特記する場合を除いて任意に変更することができる。また、図示した各装置の各要素構成は、機能概念的なものであり、必ずしも物理的に図示のごとく合成されていることを要しない。即ち、各装置の分散又は統合の具体的形態は、図示のものに限られず、その全部又は一部を各種の負担や使用状況などに応じて、任意の単位で機能的又は物理的に分散又は統合することができる。つまり、上述した実施形態で説明した配布ユーザ端末装置３は、用途や目的に応じて様々なシステム内に組み込まれて構成されても良いし、配布ユーザ端末装置３の各機能部を分散又は統合した印刷システムとして実施できる。
【０１０１】
＜プログラム＞
また、配布ユーザ端末装置３で実行される設定登録プログラム、及び印刷システム１で実行される印刷処理プログラムは、一つの様態として、インストール可能な形式又は実行可能な形式のファイルで、ＣＤ−ＲＯＭ、フレキシブルディスク（ＦＤ）、ＣＤ―Ｒ、ＤＶＤなどのコンピュータで読み取り可能な記憶媒体に記録されて提供される。また、上記各プログラムを、インターネットなどのネットワークに接続されたコンピュータ上に格納し、ネットワーク経由でダウンロードさせることにより提供するように構成しても良い。また、配布ユーザ端末装置３で実行される設定登録プログラムを、インターネットなどのネットワーク経由で提供又は配布するように構成しても良い。また、設定登録プログラムを、ＲＯＭなどに予め組み込んで提供するようにしてもよい。
【０１０２】
本発明は、具体的に開示された上記の実施形態に限定されるものではなく、特許請求の範囲から逸脱することなく、種々の変形や変更が可能である。例えば、認証サーバ装置５が料金設定テーブル５０１、ユーザ情報テーブル５０２を有する構成を示したが、前記各テーブルは配布ユーザ端末装置３が有していても良い。
【０１０３】
なお、特許請求の範囲に記載した出力装置は画像形成装置６、６０に相当する。ユーザ端末装置とは配布ユーザ端末装置３に相当する。一台以上の情報処理装置はクライアント端末装置２、プリントサーバ装置４、認証サーバ装置５、印刷課金装置７に相当する。抽出部は出力ユーザ抽出部４ｅに相当する。
【符号の説明】
【０１０４】
１      印刷システム
２      クライアント端末装置
３      配布ユーザ端末装置
４      プリントサーバ装置（情報処理装置）
５      認証サーバ装置（情報処理装置）
６、６０画像形成装置（出力装置）
７      印刷課金装置
【先行技術文献】
【特許文献】
【０１０５】
【特許文献１】特開２００３−３４５５５８号公報
【図１】
2015130046.tif 000003
【図２】
2015130046.tif 000004
【図３】
2015130046.tif 000005
【図４】
2015130046.tif 000006
【図５】
2015130046.tif 000007
【図６】
2015130046.tif 000008
【図７】
2015130046.tif 000009
【図８】
2015130046.tif 000010
【図９】
2015130046.tif 000011
【図１０】
2015130046.tif 000012
【図１１】
2015130046.tif 000013
【図１２】
2015130046.tif 000014